(57)【特許請求の範囲】
【請求項１】
光源と、この光源からの光を所定の方向に導く導光手段とを有し、この導光手段が、前記光源からの光を所定の方向に反射させる反射面と、この反射面で反射した光を放出する放出部とを有して構成される照明装置において、
前記反射面を、反放出部から放出部に向かう方向に沿って分割された複数の反射小面によって形成し、これらの反射小面を、前記放出部側の反射小面ほど前記光源から離れるように、前記光源の光軸方向にずらして段差部を形成し、この段差部によって前記各反射小面同士を断続的に設け、前記導光手段が、前記光源から放射された光のうち、拡散光を平行光に整える上側湾曲面と下側湾曲面を備えると共に、前記導光手段の上部に補助反射体を備え、前記補助反射体の下面が前記導光手段の上面と同様の形状となるように、前記補助反射体が前記導光手段の上側湾曲面及び反射面を覆うように構成したことを特徴とする照明装置。
【請求項２】
前記導光手段が透明な材質から構成されると共に、前記導光手段の放出部に、前記光源の光軸と交差する方向に、前記光源の数よりも多い複数の凸部又は／及び凹部を並べて形成したことを特徴とする請求項１に記載の照明装置。
【発明の詳細な説明】
【技術分野】
【０００１】
本発明は、電気スタンド等の照明装置に関するものである。
【背景技術】
【０００２】
従来から、電気スタンドのような照明装置はよく知られている。そして、近年、この種の照明装置として、発光ダイオード（以下、ＬＥＤと略す）を光源として用いたものがある（例えば、特許文献１参照。）。このような、ＬＥＤを用いた照明装置は、消費電力が小さく、且つ照明装置本体を小さくすることができるという利点があることから、増加する傾向にある。
【先行技術文献】
【特許文献】
【０００３】
【特許文献１】特開２００８−１２３８６３号公報
【発明の概要】
【発明が解決しようとする課題】
【０００４】
このような照明装置は、前記照明装置本体の下方を照射するように構成されている。従って、このような照明装置を机上に置いて使用する場合、前記照明装置本体を使用者の作業領域の直上に配する必要がある。そして、このように、前記照明装置本体が作業領域の直上にあると、邪魔になってしまうという問題がある。この問題は、放射光の指向性が強いＬＥＤを光源とした照明装置で顕著である。
【０００５】
このような問題を解決するためには、使用者から離れた位置から、作業領域に向かって所定の角度で下向きに照射するように構成すればよい。そして、このような配光性を実現するために、図１８（ａ）に示すように、反射面１０１を有する導光手段１００を用いることが考えられる。しかしながら、このような導光手段１００を用いた場合、反射面１０１で反射した光Ｌが放出部１０２の狭い領域から放出されるので、輝度が高くなり過ぎるという問題が発生する。そして、放出される光Ｌの輝度が高過ぎると、強過ぎる光Ｌが照射対象物（例えば写真等）で反射して、この照射対象物が見難くなる虞がある。光源１０３の発光量を低下させれば、輝度を低下させることができるが、照度も低下するので、作業領域が暗くなってしまうという問題がある。これらの問題を解決するためには、図１８（ｂ）に示すように、導光手段２００の反射面２０１の傾斜角度を緩やかにすることが考えられる。しかしながら、このように前記反射面２０１の角度を緩やかにしたとしても、放出部２０２における光Ｌが放出される領域をあまり広げることができず、輝度をそれほど下げることができない。更に、照射角度が浅くなり過ぎるという別の問題が発生する。
【０００６】
本発明は以上の問題点を解決し、照度を低下させることなく輝度を低下させることができる照明装置を提供することを目的とする。
【課題を解決するための手段】
【０００７】
本発明の請求項１に記載の照明装置は、光源と、この光源からの光を所定の方向に導く導光手段とを有し、この導光手段が、前記光源からの光を所定の方向に反射させる反射面と、この反射面で反射した光を放出する放出部とを有して構成される照明装置において、前記反射面を、反放出部から放出部に向かう方向に沿って分割された複数の反射小面によって形成し、これらの反射小面を、前記放出部側の反射小面ほど前記光源から離れるように、前記光源の光軸方向にずらして段差部を形成し、この段差部によって前記各反射小面同士を断続的に設け、前記導光手段が、前記光源から放射された光のうち、拡散光を平行光に整える上側湾曲面と下側湾曲面を備えると共に、前記導光手段の上部に補助反射体を備え、前記補助反射体の下面が前記導光手段の上面と同様の形状となるように、前記補助反射体が前記導光手段の上側湾曲面及び反射面を覆うように構成したものである。
【０００８】
更に、本発明の請求項２に記載の照明装置は、請求項１において、前記導光手段が透明な材質から構成されると共に、前記導光手段の放出部に、前記光源の光軸と交差する方向に、前記光源の数よりも多い複数の凸部又は／及び凹部を並べて形成したものである。
【発明の効果】
【０００９】
本発明の請求項１に記載の照明装置は、以上のように構成することにより、前記光源から放射された光は、前記導光手段に備えられた前記上側湾曲面及び下側湾曲面によって一部の拡散光を平行光に整えた後、前記各反射小板で反射された光を、それぞれ前記各段差部の分だけ間隔を空けて前記放出部を通過させることができるので、見かけ上、前記放出部における光が通過する領域を広げることができる。このように、前記放出部における光が通過する領域が広がると共に、前記放出部を通過する光量が変化しないので、照度を低下させることなく、輝度を低下させることができる。そして、このように、照度を低下させずに輝度を低下させることで、照射対象物を見易くすることができる。また、前記導光手段の上部に補助反射体を備え、前記補助反射体の下面が前記導光体手段の上面と同様の形状となるように、前記補助反射体が前記導光手段の上側湾曲面及び反射面を覆うように構成することで、光が前記放出面以外の面から放出されたとしても、光は、前記補助反射体によって反射され、前記導光手段内に戻される。従って、前記導光手段に戻された光を、最終的に放出面以外の面から放出することなく、放出面から良好に放出することができる。
【００１０】
また、前記導光手段を透明な材質で構成すると共に、前記導光手段の放出部に、前記光源の光軸と交差する方向に、前記光源の数よりも多い複数の凸部又は／及び凹部を並べて形成したことで、光軸と交差する方向に強い光の出口を分散させることができるので、照度を低下させることなく輝度をより低下させることができる。
【図面の簡単な説明】
【００１１】
【図１】本発明の第一の実施形態を示す照明装置の斜視図である。
【図２】同、正面図である。
【図３】同、左側面図である。
【図４】同、光学系の概略図である。
【図５】同、導光手段の説明図である。
【図６】同、導光手段の要部の拡大図である。
【図７】同、光路を示す説明図である。
【図８】本発明の第二の実施形態を示す照明装置の導光手段の説明図である。
【図９】同、光路を示す説明図である。
【図１０】本発明の第三の実施形態を示す照明装置の導光手段の説明図である。
【図１１】同、Ｘ−Ｘ断面図である。
【図１２】本発明の第四の実施形態を示す照明装置の導光手段の説明図である。
【図１３】同、Ｙ−Ｙ断面図である。
【図１４】本発明の第五の実施形態を示す照明装置の導光手段の説明図である。
【図１５】同、Ｚ−Ｚ断面図である。
【図１６】本発明の第六の実施形態を示す照明装置の光学系の概略図である。
【図１７】同、光路を示す説明図である。
【図１８】本発明との比較のための説明図である。
【発明を実施するための形態】
【００１２】
以下、本発明の実施形態について、図１乃至図７に基づいて説明する。１は照明装置の一例としての電気スタンドである。この電気スタンド１は、基部２と、この基部２に固定された柱状部３と、この柱状部３に対して可動に設けられた腕部４と、この腕部４に対して可動に設けられた首部５と、この首部５に対して可動に設けられた灯具６とを有して構成される。そして、前記柱状部３の正面側には、操作部７及び表示部８が設けられる。なお、前記操作部７は、主スイッチ７Ａ及び調節スイッチ７Ｂ，７Ｃからなる。また、前記表示部８には、複数の表示用ＬＥＤ（図示せず）が設けられる。
【００１３】
前記灯具６の光学系について詳述する。前記灯具６は、光源としての照明用ＬＥＤ９を有する。このＬＥＤ９は、小面積の面状光源と見なすことができる。即ち、このＬＥＤ９から放射される光Ｌは、平行光となる部分と、拡散光となる部分を有する。なお、図４及び図７では省略したが、前記ＬＥＤ９は、金属基板１０上に一列に並べて設けられる。また、この金属基板１０は、放熱体１１に接続される。また、前記ＬＥＤ９の放射側には、導光体１２が設けられる。また、この導光体１２の上部は、補助反射体１３によって覆われる。更に、前記導光体１２の後述する放出面１８は、散光体１４によって覆われる。
【００１４】
前記導光体１２について詳述する。この導光体１２は、透明なアクリル樹脂によって形成される。そして、前記導光体１２は、前記ＬＥＤ９に対向する入射面１５と、前記ＬＥＤ９から放射された光Ｌのうち、拡散光を平行光に整える湾曲面１６と、光Ｌを所定の方向に反射する反射面１７と、この反射面１７で反射された光Ｌを前記導光体１２外に放出する放出面１８とを有して構成される。なお、前記反射面１７は、上下に、即ち反放出面１８側から放出面１８側に向かう方向に沿って分割された複数の反射小面１９を有する。また、これらの反射小面１９は、段差部２０によって断続的に設けられる。なお、前記反射小面１９は、前記放出面１８側ほど前記ＬＥＤ９から離れるように、前記段差部２０によって前記ＬＥＤ９の光軸Ａ方向にずらされる。従って、前記反射面１７は、複数の前記反射小面１９と段差部２０によって、階段状に形成される。そして、前記各反射小面１９は、図７に示すように、平行に整えられた光Ｌを所定の方向に平行に反射させるように、それぞれ傾斜した平面状に形成される。
【００１５】
前記補助反射体１３は、前記導光体１２の上面、即ち前記導光体１２の上側湾曲面１６Ａ及び反射面１７を覆うように構成される。なお、前記補助反射体１３は、その下面が前記導光体１２の上面と同様の形状となるように、合成樹脂によって形成される。また、前記補助反射体１３の下面には、メッキ等によって反射層（図示せず）が形成される。
【００１６】
前記散光体１４は、透明な合成樹脂によって構成されると共に、その表面を粗く形成する。これによって、前記散光体１４を通過した光が、粗い表面で散乱することができるように構成される。
【００１７】
次に、本実施形態の作用について説明する。なお、前記電気スタンド１は、予め図示しない交流電源に接続されているものとする。使用者が前記主スイッチ７Ａを操作することで、前記灯具６に設けられた前記ＬＥＤ９に電力が供給され、このＬＥＤ９が点灯する。また、使用者が調節スイッチ７Ｂ，７Ｃを操作することで、前記ＬＥＤ９に供給される電力が段階的に調節され、このＬＥＤ９の明るさが変化する。なお、前記ＬＥＤ９の発光状態は、前記表示部８において、表示用ＬＥＤの点灯した数によって表示される。即ち、前記ＬＥＤ９が最も強く発光している状態では、前記表示用ＬＥＤは全て点灯し、前記ＬＥＤ９が最も弱く発光している状態では、前記表示用ＬＥＤは一つだけ点灯する。
【００１８】
なお、前記ＬＥＤ９に通電することで発生する熱は、前記金属基板１０を介して前記放熱体１１に移動し、この放熱体１１から放出される。
【００１９】
前記ＬＥＤ９から放射された光Ｌは、前記入射面１５から前記導光体１２に入る。そして、前記ＬＥＤ９から放射された光Ｌのうち、平行光となる部分は、前記導光体１２の反射面１７において一次反射する。また、前記ＬＥＤ９から放射された光Ｌのうち、拡散光となる部分は、前記導光体１２の湾曲面１６において一次反射して光軸Ａと平行に整えられた後、前記導光体１２の反射面１７において二次反射する。そして、前記反射面１７において反射した光Ｌは、全て所定の角度で下向きとなり、前記放出面１８において前記導光体１２から放出される。なお、前述したように、前記段差部２０によって、前記各反射小面１９が前記各段差部２０の光軸Ａ方向の長さ分ずらされて断続的に設けられることで、前記各反射小面１９で反射される光Ｌも、間隔を空けて断続的（即ち縞状）となる。このため、前記放出面１８における光Ｌの通過領域は、見かけ上広くなる。一方、前記放出面１８を通過する光Ｌの総量は変わらない。このため、前記電気スタンド１は、前記ＬＥＤ９から放射される光Ｌの照度を低下させることなく、輝度を低下させることができる。このように、光Ｌの照度を低下させずに輝度を低下させることで、前記電気スタンド１によって照射される作業領域にある照射対象物で光Ｌの強烈な反射を生じさせず、この照射対象物を見易くすることができる。
【００２０】
なお、前記導光体１２内では、何度か反射を繰り返した後、前記放出面１８以外の面から放出される光Ｌが発生する可能性がある。しかしながら、このように光Ｌが前記放出面１８以外の面から放出されたとしても、光Ｌは、前記補助反射体１３によって反射され、前記導光体１２内に戻される。そして、この導光体１２に戻された光Ｌは、最終的に前記放出面１８から放出される。
【００２１】
更に、前記放出面１８から放出された光Ｌは、前記散光体１４を通過する際に、この散光体１４の表面に形成された微小な凹凸によって散乱する。このため、前記放出面１８を通過した際に間隔を空けて断続的であった光Ｌも、前記散光体１４を通過することで均等化される。従って、作業領域における照度斑を少なくすることができる。
【００２２】
以上のように、本発明の照明装置としての電気スタンド１は、光源としてのＬＥＤ９からの光Ｌを所定の方向に導く導光手段としての導光体１２が、前記ＬＥＤ９からの光Ｌを所定の方向に反射させる反射面１７と、この反射面１７で反射した光Ｌを放出する放出部としての放出面１８とを有して構成され、前記反射面１７を、上下、即ち反放出面１８側から放出面１８側に向かう方向に沿って分割された複数の反射小面１９によって形成し、これらの反射小面１９を、前記放出面１８側の反射小面１９ほど前記ＬＥＤ９から離れるように、前記ＬＥＤ９の光軸Ａ方向にずらして段差部２０を形成し、これらの段差部２０によって前記各反射小面１９同士を断続的としたことで、前記各反射小板１９で反射された光Ｌ同士が、それぞれ前記各段差部２０の分だけ間隔を空けて前記放出面１８を通過するので、見かけ上、前記放出面１８における光Ｌの通過領域が広がると共に、前記放出面１８を通過する光Ｌの総量が変化しないので、この光Ｌの照度を低下させることなく輝度を低下させ、作業領域の照射対象物を見易くすることができるものである。
【００２３】
また、本発明の電気スタンド１は、前記放出面１８から放出された光Ｌが、散光手段としての散光体１４を通過することで、前記各反射小板１９で反射された断続的な光Ｌを散乱させて、作業領域における照度斑を低下させることができるので、作業領域の照射対象物を更に見易くすることができるものである。
【００２４】
次に、本発明の第二の実施形態について、図８及び図９に基づいて説明する。なお、上述した第一の実施形態と共通する部分については、説明を省略する。この第二の実施形態は、光源としてのＬＥＤ２１が点状光源と見なされる場合である。
【００２５】
本実施形態の導光体２２は、透明なアクリル樹脂によって形成される。そして、前記導光体２２は、前記ＬＥＤ２１に対向する入射面２３と、前記ＬＥＤ２１から放射された光Ｌのうち、直接光を所定の方向に反射させる反射面２４と、この反射面２４で反射された光Ｌを前記導光体２２外に放出する放出面２５とを有して構成される。なお、前記反射面２４は、上下に、即ち反放出面２５側から放出面２５側に向かう方向に沿って分割された複数の反射小面２６を有する。また、これらの反射小面２６は、段差部２７によって断続的に設けられる。なお、前記反射小面２６は、前記放出面２５側ほど前記ＬＥＤ２１から離れるように、前記段差部２７によって前記ＬＥＤ２１の光軸Ａ方向にずらされる。従って、前記反射面２４は、複数の前記反射小面２６と段差部２７によって、階段状に形成される。そして、前記各反射小面２６は、図９に示すように、前記ＬＥＤ２１から放射される光Ｌのうち、直接光を所定の方向に平行に反射させるように、それぞれ前記ＬＥＤ２１に対して凹曲面状に形成される。
【００２６】
なお、本実施形態と上述した第一の実施形態との相違点は、前記ＬＥＤ２１の一点から拡散する光Ｌを前記反射面２４によって平行に反射させるか、前記ＬＥＤ９から放射された光Ｌを平行に整えた後で前記反射面１７によって平行に反射させるかの違いであり、それ以外の作用効果に大差がない。従って、本実施形態の作用について、説明を省略する。
【００２７】
次に、本発明の第三の実施形態について、図１０及び図１１に基づいて説明する。なお、上述した各実施形態と共通する部分については、説明を省略する。本実施形態では、図１１に示すように、ＬＥＤ９は複数設けられており、これらのＬＥＤ９が等間隔で一列に配列される。
【００２８】
本実施形態の導光体３１は、透明なアクリル樹脂によって形成される。そして、前記導光体３１は、前記ＬＥＤ９に対向する入射面３２と、前記ＬＥＤ９から放射された光Ｌのうち、拡散光を平行光に整える湾曲面３３と、光Ｌを所定の方向に反射する反射面３４と、この反射面３４で反射された光Ｌを前記導光体３１外に放出する放出面３５とを有して構成される。なお、前記反射面３４は、上下に、即ち反放出面３５側から放出面３５側に向かう方向に沿って分割された複数の反射小面３６を有する。また、これらの反射小面３６は、段差部３７によって断続的に設けられる。なお、前記反射小面３６は、前記放出面３５側ほど前記ＬＥＤ９から離れるように、前記段差部３７によって前記ＬＥＤ９の光軸Ａ方向にずらされる。従って、前記反射面３４は、複数の前記反射小面３６と段差部３７によって、階段状に形成される。そして、前記各反射小面３６は、平行に整えられた光Ｌを所定の方向に平行に反射させるように、それぞれ傾斜した平面状に形成される。
【００２９】
なお、前記導光体３１の放出面３５には、前記導光体３１と一体に複数の凸部３８が形成される。これらの凸部３８は、前記ＬＥＤ９の光軸Ａに沿って長く形成されると共に、光軸Ａと直交する方向に並べて形成される。そして、前記凸部３８は、前記ＬＥＤ９の数よりも多く形成される。
【００３０】
次に、本実施形態の作用について説明する。前記ＬＥＤ９から放射された光Ｌは、前記入射面３２から前記導光体３１に入る。そして、前記ＬＥＤ９から放射された光Ｌのうち、平行光となる部分は、前記導光体３１の反射面３４において一次反射する。また、前記ＬＥＤ９から放射された光Ｌのうち、拡散光となる部分は、前記導光体３１の湾曲面３３において一次反射して光軸Ａと平行に整えられた後、前記導光体３１の反射面３４において二次反射する。そして、前記反射面３４において反射した光Ｌは、全て所定の角度で下向きとなり、前記放出面３５において前記導光体３１から放出される。なお、前述したように、前記段差部３７によって、前記各反射小面３６が前記各段差部３７の光軸Ａ方向の長さ分ずらされて断続的に設けられることで、前記各反射小面３６で反射される光Ｌも、間隔を空けて断続的（即ち縞状）となる。このため、前記放出面３５における光Ｌの通過領域は、見かけ上広くなる。一方、前記放出面３５を通過する光Ｌの総量は変わらない。このため、本実施形態の電気スタンドは、前記ＬＥＤ９から放射される光Ｌの照度を低下させることなく、輝度を低下させることができる。このように、光Ｌの照度を低下させずに輝度を低下させることで、前記電気スタンドによって照射される作業領域にある照射対象物で光Ｌの強烈な反射を生じさせず、この照射対象物を見易くすることができる。
【００３１】
なお、前記反射面３４で反射した光Ｌは、前記放出面３５を通過する際に、前記各凸部３８において屈折したり反射したりした後で放出されることで、図１１に示すように、前記各凸部３８から光Ｌが放出される。即ち、一つの前記ＬＥＤ９に対する光Ｌの出口は、輝度の高い一つの出口から、輝度の低い複数の出口に分散される。これによって、前記ＬＥＤ９から放射された光Ｌの照度を低下させずに輝度をより低下させることができるので、前記電気スタンドによって照射される作業領域にある照射対象物を更に見易くすることができる。
【００３２】
更に、前記放出面３５から放出された光Ｌは、散光体を通過することで、この散光体の表面に形成された微小な凹凸によって散乱する。このため、前記放出面３５を通過した際に光軸Ａ方向に間隔を空けて断続的で且つ光軸Ａと直交する方向に斑のあった光Ｌも、前記散光体を通過することで均等化される。従って、作業領域における照度斑を少なくすることができる。
【００３３】
以上のように、本発明の照明装置としての電気スタンドは、光源としてのＬＥＤ９からの光Ｌを所定の方向に導く導光手段としての導光体３１が、前記ＬＥＤ９からの光Ｌを所定の方向に反射させる反射面３４と、この反射面３４で反射した光Ｌを放出する放出部としての放出面３５とを有して構成され、前記反射面３４を、上下、即ち反放出面３５側から放出面３５側に向かう方向に沿って分割された複数の反射小面３６によって形成し、これらの反射小面３６を、前記放出面３５側の反射小面３６ほど前記ＬＥＤ９から離れるように、前記ＬＥＤ９の光軸Ａ方向にずらして段差部３７を形成し、これらの段差部３７によって前記各反射小面３６同士を断続的としたことで、前記各反射小板３６で反射された光Ｌ同士が、それぞれ前記各段差部３７の分だけ間隔を空けて前記放出面３５を通過するので、見かけ上、前記放出面３５における光Ｌの通過領域が広がると共に、前記放出面３５を通過する光Ｌの総量が変化しないので、この光Ｌの照度を低下させることなく輝度を低下させ、作業領域の照射対象物を見易くすることができるものである。
【００３４】
また、本発明の電気スタンドは、前記導光体３１を透明なアクリル樹脂で構成すると共に、前記導光体３１の放出面３５に、前記ＬＥＤ９の光軸Ａと直交する方向に、前記ＬＥＤ９の数よりも多い複数の凸部３８を並べて形成したことで、光軸Ａと直交する方向に強い光の出口を分散させることができるので、光Ｌの照度を低下させることなく輝度をより低下させ、作業領域の照射対象物を更に見易くすることができる。
【００３５】
更に、本発明の電気スタンドは、前記放出面３５から放出された光Ｌが、散光手段としての散光体を通過することで、前記各反射小板３６で反射された断続的な光Ｌを散乱させて、また、前記各凸部３８によって光軸Ａと直交する方向に強い光の出口を分散させたことで斑の生じた光Ｌを散乱させて、作業領域における照度斑を低下させることができるので、作業領域の照射対象物を更に見易くすることができるものである。
【００３６】
次に、本発明の第四の実施形態について、図１２及び図１３に基づいて説明する。なお、上述した各実施形態と共通する部分については、説明を省略する。本実施形態では、図１３に示すように、ＬＥＤ９は複数設けられており、これらのＬＥＤ９が等間隔で一列に配列される。
【００３７】
本実施形態の導光体４１は、透明なアクリル樹脂によって形成される。そして、前記導光体４１は、前記ＬＥＤ９に対向する入射面４２と、前記ＬＥＤ９から放射された光Ｌのうち、拡散光を平行光に整える湾曲面４３と、光Ｌを所定の方向に反射する反射面４４と、この反射面４４で反射された光Ｌを前記導光体４１外に放出する放出面４５とを有して構成される。なお、前記反射面４４は、上下に、即ち反放出面４５側から放出面４５側に向かう方向に沿って分割された複数の反射小面４６を有する。また、これらの反射小面４６は、段差部４７によって断続的に設けられる。なお、前記反射小面４６は、前記放出面４５側ほど前記ＬＥＤ９から離れるように、前記段差部４７によって前記ＬＥＤ９の光軸Ａ方向にずらされる。従って、前記反射面４４は、複数の前記反射小面４６と段差部４７によって、階段状に形成される。そして、前記各反射小面４６は、平行に整えられた光Ｌを所定の方向に平行に反射させるように、それぞれ傾斜した平面状に形成される。
【００３８】
なお、前記導光体４１の放出面４５には、前記導光体４１と一体に複数の凹部４８が形成される。これらの凹部４８は、前記ＬＥＤ９の光軸Ａに沿って長く形成されると共に、光軸Ａと直交する方向に並べて形成される。そして、前記凹部４８は、前記ＬＥＤ９の数よりも多く形成される。
【００３９】
次に、本実施形態の作用について説明する。前記ＬＥＤ９から放射された光Ｌは、前記入射面４２から前記導光体４１に入る。そして、前記ＬＥＤ９から放射された光Ｌのうち、平行光となる部分は、前記導光体４１の反射面４４において一次反射する。また、前記ＬＥＤ９から放射された光Ｌのうち、拡散光となる部分は、前記導光体４１の湾曲面４３において一次反射して光軸Ａと平行に整えられた後、前記導光体４１の反射面４４において二次反射する。そして、前記反射面４４において反射した光Ｌは、全て所定の角度で下向きとなり、前記放出面４５において前記導光体４１から放出される。なお、前述したように、前記段差部４７によって、前記各反射小面４６が前記各段差部４７の光軸Ａ方向の長さ分ずらされて断続的に設けられることで、前記各反射小面４６で反射される光Ｌも、間隔を空けて断続的（即ち縞状）となる。このため、前記放出面４５における光Ｌの通過領域は、見かけ上広くなる。一方、前記放出面４５を通過する光Ｌの総量は変わらない。このため、本実施形態の電気スタンドは、前記ＬＥＤ９から放射される光Ｌの照度を低下させることなく、輝度を低下させることができる。このように、光Ｌの照度を低下させずに輝度を低下させることで、前記電気スタンドによって照射される作業領域にある照射対象物で光Ｌの強烈な反射を生じさせず、この照射対象物を見易くすることができる。
【００４０】
なお、前記反射面４４で反射した光Ｌは、前記放出面４５を通過する際に、前記各凹部４８間において屈折したり反射したりした後で放出されることで、図１３に示すように、前記各凹部４８間、即ち相対的に凸になっている部位から光Ｌが放出される。即ち、一つの前記ＬＥＤ９に対する光Ｌの出口は、輝度の高い一つの出口から、輝度の低い複数の出口に分散される。これによって、前記ＬＥＤ９から放射された光Ｌの照度を低下させずに輝度をより低下させることができるので、前記電気スタンドによって照射される作業領域にある照射対象物を更に見易くすることができる。
【００４１】
更に、前記放出面４５から放出された光Ｌは、散光体を通過することで、この散光体の表面に形成された微小な凹凸によって散乱する。このため、前記放出面４５を通過した際に光軸Ａ方向に間隔を空けて断続的で且つ光軸Ａと直交する方向に斑のあった光Ｌも、前記散光体を通過することで均等化される。従って、作業領域における照度斑を少なくすることができる。
【００４２】
以上のように、本発明の照明装置としての電気スタンドは、光源としてのＬＥＤ９からの光Ｌを所定の方向に導く導光手段としての導光体４１が、前記ＬＥＤ９からの光Ｌを所定の方向に反射させる反射面４４と、この反射面４４で反射した光Ｌを放出する放出部としての放出面４５とを有して構成され、前記反射面４４を、上下、即ち反放出面４５側から放出面４５側に向かう方向に沿って分割された複数の反射小面４６によって形成し、これらの反射小面４６を、前記放出面４５側の反射小面４６ほど前記ＬＥＤ９から離れるように、前記ＬＥＤ９の光軸Ａ方向にずらして段差部４７を形成し、これらの段差部４７によって前記各反射小面４６同士を断続的としたことで、前記各反射小板４６で反射された光Ｌ同士が、それぞれ前記各段差部４７の分だけ間隔を空けて前記放出面４５を通過するので、見かけ上、前記放出面４５における光Ｌの通過領域が広がると共に、前記放出面４５を通過する光Ｌの総量が変化しないので、この光Ｌの照度を低下させることなく輝度を低下させ、作業領域の照射対象物を見易くすることができるものである。
【００４３】
また、本発明の電気スタンドは、前記導光体４１を透明なアクリル樹脂で構成すると共に、前記導光体４１の放出面４５に、前記ＬＥＤ９の光軸Ａと直交する方向に、前記ＬＥＤ９の数よりも多い複数の凹部４８を並べて形成したことで、光軸Ａと直交する方向に強い光の出口を分散させることができるので、光Ｌの照度を低下させることなく輝度をより低下させ、作業領域の照射対象物を更に見易くすることができる。
【００４４】
更に、本発明の電気スタンドは、前記放出面４５から放出された光Ｌが、散光手段としての散光体を通過することで、前記各反射小板４６で反射された断続的な光Ｌを散乱させて、また、前記各凹部４８によって光軸Ａと直交する方向に強い光の出口を分散させたことで斑の生じた光Ｌを散乱させて、作業領域における照度斑を低下させることができるので、作業領域の照射対象物を更に見易くすることができるものである。
【００４５】
次に、本発明の第五の実施形態について、図１４及び図１５に基づいて説明する。なお、上述した各実施形態と共通する部分については、説明を省略する。本実施形態では、図１３に示すように、ＬＥＤ９は複数設けられており、これらのＬＥＤ９が等間隔で一列に配列される。
【００４６】
本実施形態の導光体５１は、透明なアクリル樹脂によって形成される。そして、前記導光体５１は、前記ＬＥＤ９に対向する入射面５２と、前記ＬＥＤ９から放射された光Ｌのうち、拡散光を平行光に整える湾曲面５３と、光Ｌを所定の方向に反射する反射面５４と、この反射面５４で反射された光Ｌを前記導光体５１外に放出する放出面５５とを有して構成される。なお、前記反射面５４は、上下に、即ち反放出面５５側から放出面５５側に向かう方向に沿って分割された複数の反射小面５６を有する。また、これらの反射小面５６は、段差部５７によって断続的に設けられる。なお、前記反射小面５６は、前記放出面５５側ほど前記ＬＥＤ９から離れるように、前記段差部５７によって前記ＬＥＤ９の光軸Ａ方向にずらされる。従って、前記反射面５４は、複数の前記反射小面５６と段差部５７によって、階段状に形成される。そして、前記各反射小面５６は、平行に整えられた光Ｌを所定の方向に平行に反射させるように、それぞれ傾斜した平面状に形成される。
【００４７】
なお、前記導光体５１の放出面５５には、前記導光体５１と一体に複数の凸部５８及び凹部５９が形成される。これらの凸部５８及び凹部５９は、それぞれ前記ＬＥＤ９の光軸Ａに沿って長く形成されると共に、光軸Ａと直交する方向に交互に並べて形成される。そして、前記凸部５８及び凹部５９は、それぞれ前記ＬＥＤ９の数よりも多く形成される。
【００４８】
次に、本実施形態の作用について説明する。前記ＬＥＤ９から放射された光Ｌは、前記入射面５２から前記導光体５１に入る。そして、前記ＬＥＤ９から放射された光Ｌのうち、平行光となる部分は、前記導光体５１の反射面５４において一次反射する。また、前記ＬＥＤ９から放射された光Ｌのうち、拡散光となる部分は、前記導光体５１の湾曲面５３において一次反射して光軸Ａと平行に整えられた後、前記導光体５１の反射面５４において二次反射する。そして、前記反射面５４において反射した光Ｌは、全て所定の角度で下向きとなり、前記放出面５５において前記導光体５１から放出される。なお、前述したように、前記段差部５７によって、前記各反射小面５６が前記各段差部５７の光軸Ａ方向の長さ分ずらされて断続的に設けられることで、前記各反射小面５６で反射される光Ｌも、間隔を空けて断続的（即ち縞状）となる。このため、前記放出面５５における光Ｌの通過領域は、見かけ上広くなる。一方、前記放出面５５を通過する光Ｌの総量は変わらない。このため、本実施形態の電気スタンドは、前記ＬＥＤ９から放射される光Ｌの照度を低下させることなく、輝度を低下させることができる。このように、光Ｌの照度を低下させずに輝度を低下させることで、前記電気スタンドによって照射される作業領域にある照射対象物で光Ｌの強烈な反射を生じさせず、この照射対象物を見易くすることができる。
【００４９】
なお、前記反射面５４で反射した光Ｌは、前記放出面５５を通過する際に、前記各凸部５８において屈折したり反射したりした後で放出されることで、図１５に示すように、前記各凸部５８から光Ｌが放出される。即ち、一つの前記ＬＥＤ９に対する光Ｌの出口は、輝度の高い一つの出口から、輝度の低い複数の出口に分散される。これによって、前記ＬＥＤ９から放射された光Ｌの照度を低下させずに輝度をより低下させることができるので、前記電気スタンドによって照射される作業領域にある照射対象物を更に見易くすることができる。
【００５０】
更に、前記放出面５５から放出された光Ｌは、散光体を通過することで、この散光体の表面に形成された微小な凹凸によって散乱する。このため、前記放出面５５を通過した際に光軸Ａ方向に間隔を空けて断続的で且つ光軸Ａと直交する方向に斑のあった光Ｌも、前記散光体を通過することで均等化される。従って、作業領域における照度斑を少なくすることができる。
【００５１】
以上のように、本発明の照明装置としての電気スタンドは、光源としてのＬＥＤ９からの光Ｌを所定の方向に導く導光手段としての導光体５１が、前記ＬＥＤ９からの光Ｌを所定の方向に反射させる反射面５４と、この反射面５４で反射した光Ｌを放出する放出部としての放出面５５とを有して構成され、前記反射面５４を、上下、即ち反放出面５５側から放出面５５側に向かう方向に沿って分割された複数の反射小面５６によって形成し、これらの反射小面５６を、前記放出面５５側の反射小面５６ほど前記ＬＥＤ９から離れるように、前記ＬＥＤ９の光軸Ａ方向にずらして段差部５７を形成し、これらの段差部５７によって前記各反射小面５６同士を断続的としたことで、前記各反射小板５６で反射された光Ｌ同士が、それぞれ前記各段差部５７の分だけ間隔を空けて前記放出面５５を通過するので、見かけ上、前記放出面５５における光Ｌの通過領域が広がると共に、前記放出面５５を通過する光Ｌの総量が変化しないので、この光Ｌの照度を低下させることなく輝度を低下させ、作業領域の照射対象物を見易くすることができるものである。
【００５２】
また、本発明の電気スタンドは、前記導光体５１を透明なアクリル樹脂で構成すると共に、前記導光体５１の放出面５５に、前記ＬＥＤ９の光軸Ａと直交する方向に、前記ＬＥＤ９の数よりも多い複数の凸部５８及び凹部５９を交互に並べて形成したことで、光軸Ａと直交する方向に強い光の出口を分散させることができるので、光Ｌの照度を低下させることなく輝度をより低下させ、作業領域の照射対象物を更に見易くすることができる。
【００５３】
更に、本発明の電気スタンドは、前記放出面５５から放出された光Ｌが、散光手段としての散光体を通過することで、前記各反射小板５６で反射された断続的な光Ｌを散乱させて、また、前記各凸部５８によって光軸Ａと直交する方向に強い光の出口を分散させたことで斑の生じた光Ｌを散乱させて、作業領域における照度斑を低下させることができるので、作業領域の照射対象物を更に見易くすることができるものである。
【００５４】
次に、本発明の第六の実施形態について、図１６及び図１７に基づいて説明する。なお、上述した各実施形態と共通する部分については、説明を省略する。
【００５５】
本実施形態の灯具は、光源としての照明用ＬＥＤ９を有する。このＬＥＤ９は、小面積の面状光源と見なすことができる。即ち、このＬＥＤ９から放射される光Ｌは、平行光となる部分と、拡散光となる部分を有する。なお、図１６及び図１７では省略したが、前記ＬＥＤ９は、金属基板１０上に一列に並べて設けられる。また、この金属基板１０は、放熱体１１に接続される。また、前記ＬＥＤ９の放射側には、導光手段６１が設けられる。また、この導光手段６１の後述する光出口６５は、散光体１４によって覆われる。
【００５６】
前記導光手段６１について詳述する。この導光手段６１は、上反射体６２と下反射体６３によって形成される。これらの反射体６２，６３は、合成樹脂によって形成されると共に、これらの表面には、メッキ等によって反射層（図示せず）が形成される。そして、前記導光手段６１は、前記各反射体６２，６３の後端部同士の間に設けられた光入口６４と、前記各反射体６２，６３の先端部同士の間に設けられた放出部としての光出口６５とを有する。また、前記上反射体６２は、前記ＬＥＤ９から放射された光Ｌのうち、上方に拡散する光を平行光に整える湾曲面６６と、光Ｌを所定の方向に反射する反射面６７とを有して構成される。また、前記下反射体６３は、前記ＬＥＤ９から放射された光Ｌのうち、下方に拡散する光を平行光に整える湾曲面６８を有して構成される。なお、前記反射面６７は、上下に、即ち反光出口６５側から光出口６５側に向かう方向に沿って分割された複数の反射小面６９を有する。また、これらの反射小面６９は、段差部７０によって断続的に設けられる。なお、前記反射小面６９は、前記光出口６５側ほど前記ＬＥＤ９から離れるように、前記段差部７０によって前記ＬＥＤ９の光軸Ａ方向にずらされる。従って、前記反射面６７は、複数の前記反射小面６９と段差部７０によって、階段状に形成される。そして、前記各反射小面６９は、図１７に示すように、平行に整えられた光Ｌを所定の方向に平行に反射させるように、それぞれ傾斜した平面状に形成される。
【００５７】
前記散光体１４は、透明な合成樹脂によって構成されると共に、その表面を粗く形成する。これによって、前記散光体１４を通過した光が、粗い表面で散乱することができるように構成される。
【００５８】
次に、本実施形態の作用について説明する。前記ＬＥＤ９から放射された光Ｌは、前記光入口６４から前記導光手段６１に入る。そして、前記ＬＥＤ９から放射された光Ｌのうち、平行光となる部分は、前記導光手段６１の上反射体６２の反射面６７において一次反射する。また、前記ＬＥＤ９から放射された光Ｌのうち、上方に拡散する光は、前記導光手段６１の上反射体６２の湾曲面６６において一次反射して光軸Ａと平行に整えられた後、前記導光手段６１の上反射体６２の反射面６７において二次反射する。更に、前記ＬＥＤ９から放射された光Ｌのうち、下方に拡散する光は、前記導光手段６１の下反射体６３の湾曲面６８において一次反射して光軸Ａと平行に整えられた後、前記導光手段６１の上反射体６２の反射面６７において二次反射する。そして、前記反射面６７において反射した光Ｌは、全て所定の角度で下向きとなり、前記光出口６５において前記導光手段６１から放出される。なお、前述したように、前記段差部７０によって、前記各反射小面６９が前記各段差部７０の光軸Ａ方向の長さ分ずらされて断続的に設けられることで、前記各反射小面６９で反射される光Ｌも、間隔を空けて断続的（即ち縞状）となる。このため、前記光出口６５における光Ｌの通過領域は、見かけ上広くなる。一方、前記光出口６５を通過する光Ｌの総量は変わらない。このため、前記電気スタンドは、前記ＬＥＤ９から放射される光Ｌの照度を低下させることなく、輝度を低下させることができる。このように、光Ｌの照度を低下させずに輝度を低下させることで、前記電気スタンドによって照射される作業領域にある照射対象物で光Ｌの強烈な反射を生じさせず、この照射対象物を見易くすることができる。
【００５９】
更に、前記光出口６５から放出された光Ｌは、前記散光体１４を通過する際に、この散光体１４の表面に形成された微小な凹凸によって散乱する。このため、前記光出口６５を通過した際に間隔を空けて断続的であった光Ｌも、前記散光体１４を通過することで均等化される。従って、作業領域における照度斑を少なくすることができる。
【００６０】
以上のように、本発明の照明装置としての電気スタンドは、光源としてのＬＥＤ９からの光Ｌを所定の方向に導く導光手段６１が、前記ＬＥＤ９からの光Ｌを所定の方向に反射させる反射面６７と、この反射面６７で反射した光Ｌを放出する放出部としての光出口６５とを有して構成され、前記反射面６７を、上下、即ち反光出口６５側から光出口６５側に向かう方向に沿って分割された複数の反射小面６９によって形成し、これらの反射小面６９を、前記光出口６５側の反射小面６９ほど前記ＬＥＤ９から離れるように、前記ＬＥＤ９の光軸Ａ方向にずらして段差部７０を形成し、これらの段差部７０によって前記各反射小面６９同士を断続的としたことで、前記各反射小板６９で反射された光Ｌ同士が、それぞれ前記各段差部７０の分だけ間隔を空けて前記光出口６５を通過するので、見かけ上、前記光出口６５における光Ｌの通過領域が広がると共に、前記光出口６５を通過する光Ｌの総量が変化しないので、この光Ｌの照度を低下させることなく輝度を低下させ、作業領域の照射対象物を見易くすることができるものである。
【００６１】
また、本発明の電気スタンドは、前記光出口６５から放出された光Ｌが、散光手段としての散光体１４を通過することで、前記各反射小板６９で反射された断続的な光Ｌを散乱させて、作業領域における照度斑を低下させることができるので、作業領域の照射対象物を更に見易くすることができるものである。
【００６２】
なお、本発明は以上の実施形態に限定されるものではなく、発明の要旨の範囲内で種々の変形実施が可能である。例えば、上記各実施形態では、光軸とは光源からの直接光の光軸（狭義の光軸）を指すが、反射又は屈折によって屈曲させた光軸（広義の光軸）であっても良い。また、上記各実施形態を組み合わせても良い。
【符号の説明】
【００６３】
１  電気スタンド（照明装置）
９，２１  発光ダイオード（光源）
１２，２２，３１，４１，５１  導光体（導光手段）
１３  補助反射体
１４  散光体（散光手段）
１６，３３，４３，５３，６６，６８  湾曲面
１７，２４，３４，４４，５４，６７  反射面
１８，２５，３５，４５，５５  放出面（放出部）
１９，２６，３６，４６，５６，６９  反射小面
２０，２７，３７，４７，５７，７０  段差部
３８，５８  凸部
４８，５９  凹部
６１  導光手段
６５  光出口（放出部）
Ａ  光軸
Ｌ  光
【図１】
0005588217.tif 000002
【図２】
0005588217.tif 000003
【図３】
0005588217.tif 000004
【図４】
0005588217.tif 000005
【図５】
0005588217.tif 000006
【図６】
0005588217.tif 000007
【図７】
0005588217.tif 000008
【図８】
0005588217.tif 000009
【図９】
0005588217.tif 000010
【図１０】
0005588217.tif 000011
【図１１】
0005588217.tif 000012
【図１２】
0005588217.tif 000013
【図１３】
0005588217.tif 000014
【図１４】
0005588217.tif 000015
【図１５】
0005588217.tif 000016
【図１６】
0005588217.tif 000017
【図１７】
0005588217.tif 000018
【図１８】
0005588217.tif 000019